(57)【特許請求の範囲】
【請求項１】
保護されたコンテンツに対する認証情報を検索して前記認証情報が検索された後に電力を減らすように動作する認証モジュールと、
前記認証モジュールの電力が減らされている間に、前記保護されたコンテンツを受信し、前記認証情報に基づいて復号化するように動作する復号化モジュールと、を備えたデジタル権利管理システム。
【請求項２】
請求項１のデジタル権利管理システムであって、前記認証モジュールは、電力を減らす前に、前記認証情報を、前記認証モジュールとは異なるメモリに記憶するように動作するデジタル権利管理システム。
【請求項３】
請求項２のデジタル権利管理システムであって、前記復号化モジュールは前記認証情報を前記メモリから検索するように動作するデジタル権利管理システム。
【請求項４】
請求項１のデジタル権利管理システムであって、前記保護されたコンテンツに基づくメディア出力情報を提供するように動作するメディアモジュールを更に備えたデジタル権利管理システム。
【請求項５】
請求項１のデジタル権利管理システムであって、選択的に前記認証モジュールの電力を増やしたり電力を減らしたりするように動作する電力管理モジュールを更に備えたデジタル権利管理システム。
【請求項６】
請求項５のデジタル権利管理システムであって、前記電力管理モジュールは前記復号化モジュールからの認証要求に応答して前記認証モジュールの電力を増やすように動作するデジタル権利管理システム。
【請求項７】
請求項５のデジタル権利管理システムであって、前記電力管理モジュールは前記復号化モジュールが前記保護されたコンテンツを復号化しているときに前記認証モジュールの電力を減らすように動作するデジタル権利管理システム。
【請求項８】
請求項１のデジタル権利管理システムであって、前記認証情報に対する要求を送信し前記要求に応じた前記認証情報を受信するように動作する通信モジュールを更に備えたデジタル権利管理システム。
【請求項９】
請求項８のデジタル権利管理システムであって、前記通信モジュールは前記認証情報を受信した後に電力を減らすように動作するデジタル権利管理システム。
【請求項１０】
請求項１のデジタル権利管理システムを備えたデバイス。
【請求項１１】
保護されたコンテンツに対する認証情報を認証モジュールにより検索することと、
前記認証情報が検索された後に前記認証モジュールの電力を減らすことと、
前記認証モジュールの電力が減らされている間に前記認証情報を復号化モジュールに提供することと、
前記認証モジュールの電力が減らされている間に前記保護されたコンテンツを前記認証情報に基いて復号化することと、を備えたデジタル権利管理方法。
【請求項１２】
請求項１１のデジタル権利管理方法であって、電力を減らす前に前記認証情報を記憶することを更に備えたデジタル権利管理方法。
【請求項１３】
請求項１２のデジタル権利管理方法であって、
前記保護されたコンテンツを復号化する前に前記記憶された認証情報を検索することと、
前記保護されたコンテンツに基づくメディア出力情報を提供することと、を更に備えたデジタル権利管理方法。
【請求項１４】
請求項１１のデジタル権利管理方法であって、選択的に前記認証モジュールの電力を増やしたり電力を減らしたりすることを更に備えたデジタル権利管理方法。
【請求項１５】
請求項１４のデジタル権利管理方法であって、
認証要求に応答して前記認証モジュールの電力を増やすことと、
復号化モジュールが前記保護されたコンテンツを復号化しているときに前記認証モジュールの電力を減らすことと、を更に備えたデジタル権利管理方法。
【請求項１６】
第１の回路と第２の回路とを備えたデバイスであって、
前記第１の回路は、
保護されたコンテンツに対する認証情報を検索し前記認証情報が検索された後に電力を減らすように動作する認証モジュールと、
選択的に前記認証モジュールの電力を増やしたり電力を減らしたりするように動作する電力管理モジュールと、
前記認証情報に対する要求をワイヤレスで送信し前記要求に応じた前記認証をワイヤレスで受信するように動作する通信モジュールと、を備えており、
前記第２の回路は、
前記第１の回路の電力が減らされている間に、前記認証情報を検索するとともに、前記保護されたコンテンツを前記認証情報に基づいて復号化するように動作する復号化モジュールと、
前記保護されたコンテンツに基づくメディア出力情報を提供するように動作するメディアモジュールと、を備えているデバイス。
【請求項１７】
請求項１６のデバイスであって、前記認証モジュールは電力を減らす前に前記認証情報をメモリに記憶するように動作し、前記復号化モジュールは前記認証情報を前記メモリから検索するように動作するデバイス。
【請求項１８】
請求項１６のデバイスであって、前記電力管理モジュールは前記復号化モジュールからの認証要求に応答して前記認証モジュールの電力を増やし前記復号化モジュールが前記保護されたコンテンツを復号化しているときに前記認証モジュールの電力を減らすように動作するデバイス。
【請求項１９】
請求項１６のデバイスであって、
前記メディア出力情報に基づく画像を提供するように動作するディスプレイと、
前記メディア出力情報に基づくオーディオを提供するように動作するスピーカと、の少なくとも一つを更に備えたデバイス。
【請求項２０】
請求項１６のデバイスであって、前記認証モジュールの電力が減らされている間に前記通信モジュールの電力が増やされるデバイス。
【請求項２１】
デジタル権利コンテンツを管理する方法であって、
保護されたコンテンツに対する認証情報を認証モジュールにより検索することと、
前記認証情報が検索された後に前記認証モジュールの電力を減らすことと、
前記認証モジュールの電力が減らされている間に前記認証情報を復号化モジュールに提供することと、
前記認証モジュールの電力が減らされている間に前記保護されたコンテンツを前記認証情報に基づいて復号化することと、を備えた方法。
【請求項２２】
請求項２のデジタル権利管理システムであって、前記メモリは、前記認証モジュールの関与なしに前記復号化モジュールによってアクセス可能であるデジタル権利管理システム。
【請求項２３】
請求項２のデジタル権利管理システムであって、前記メモリは、前記認証モジュールから独立して電力供給される権利管理システム。
【発明の詳細な説明】
【技術分野】
【０００１】
本開示は概してデジタル権利管理に関し、更に詳しくはデジタル権利管理を採用しているデバイスの電力消費を低減することに関する。
【背景技術】
【０００２】
デジタルコンテンツは、モバイル携帯型デバイス並びに当該コンテンツの配布及び格納の容易性により広く普及してきた。そのようなコンテンツは、例えばゲーム、着信音、写真、音楽クリップ、ビデオクリップ、ストリーミングメディア、及び他の適切なコンテンツを含むことができる。かかるコンテンツを不正コピーし及び／又はかかるコンテンツへの不正アクセスを減少させることを支援するために、種々のデジタル権利管理（ＤＲＭ）規格、例えばオープンモバイルアライアンス（ＯＭＡ）ＤＲＭが開発されてきている。しかし、保護されたコンテンツに対してＤＲＭを利用するためには、モバイルデバイスの電力消費を増大させる付加的な処理が必要になる。
【０００３】
更に、幾つかのモバイルデバイス、例えば携帯電話は、デバイスの主要な機能（例えば通信機能）を担う主要プロセッサとデジタルコンテンツを担う副次的プロセッサとを含む。従って、２つの別個のプロセッサを用いることにより電力消費は更に増大している。
【発明の概要】
【発明が解決しようとする課題】
【０００４】
ＤＲＭで保護されたコンテンツを利用する多数のモバイルデバイスは多くの場合バッテリー電源であるので、バッテリー寿命を延ばすために電力消費を低減することがとりわけ望まれている。
【課題を解決するための手段】
【０００５】
一つの例では、デジタル権利管理システムは認証モジュール及び復号化モジュールを含む。必要に応じてこれらモジュールは別個の集積回路に実装されてよい。認証モジュールは保護されたコンテンツに対する認証情報を検索し、認証情報が検索された後に電力を減らす。復号化モジュールは、認証モジュールが電力を減らされている間に保護されたコンテンツを認証情報に基いて復号化する。関連する方法もまた開示される。
【０００６】
数ある利益のなかでもとりわけ、公知のデジタル権利管理システム及び方法よりも消費電力の小さいデジタル権利管理システム及び方法が提供される。一つの例では、デジタル権利管理システムは、ホスト処理回路（又はその部分）が認証情報を得た後に電力を減らされることができるように、ホスト処理回路とメディア処理回路の間でデジタル権利管理エージェントを割り振る。従って、ホスト処理回路（又はその部分）の電力を減らすことによって、デジタル権利管理システムの電力消費が公知のデジタル権利管理システムに比べて小さくなる。他の利益は当業者によって認識されるであろう。
【０００７】
一つの例では、認証モジュールは電力を減らす前に認証情報をメモリ内に記憶する。復号化モジュールは認証情報をメモリから検索する。メディアモジュールは保護されたコンテンツに基くメディア出力情報を提供する。
【０００８】
一つの例では、デジタル権利管理システムは電力管理モジュールを含む。電力管理モジュールは選択的に認証モジュールの電力を増やしそして電力を減らす。例えば、電力管理モジュールは、復号化モジュールからの認証要求に応答して認証モジュールの電力を増やす。また、電力管理モジュールは、復号化モジュールが保護されたコンテンツを復号化しているときに認証モジュールの電力を減らす。
【０００９】
一つの例では、デジタル権利管理システムは通信モジュールを含む。通信モジュールは認証情報に対する要求を送信し、要求に応じて認証を受信し、認証情報を受信した後に電力を減らすように動作する。
【００１０】
デバイスはデジタル権利管理システムを含み、ワイヤレス携帯型デバイスあるいは適切なデバイスであってよい。
【００１１】
ここに用いられる「回路」及び／又は「モジュール」という用語は、電子回路、一つ以上のソフトウエア又はファームウエアプログラムを実行する一つ以上のプロセッサ（例えば共用され、専用の、又はグループのプロセッサ、例えば限定はされないがマイクロプロセッサ、ＤＳＰ、又は中央処理ユニット）及びメモリ、組み合わせ論理回路、ＡＳＩＣ、及び／又は説明された機能を提供する他の適切な要素を含むことができる。「回路」又は「モジュール」は、動作不能の状態にするレベルまでを含み所望の減少させられた電力レベルまで電力を減少させることによって、「電力を減らされる(powered down)」ことができる。同様に、「回路」又は「モジュール」は動作状態にするレベルまで電力供給を増大させることによって「電力を増やされる(powered up)」ことができる。また、当業者に理解されるであろうように、「回路」又は「モジュール」の動作、設計、及び組織化は、ハードウエア記述言語、例えばＶｅｒｉｌｏｇ（登録商標）、ＶＨＤＬ又は他の適切なハードウエア記述言語において記述されることができる。
【図面の簡単な説明】
【００１２】
以下の図面と共に以下の記述を参照することによって本開示は更に容易に理解されるであろう。図面において同様の参照番号は同様の要素を示す。
【００１３】
【図１】図１はデジタル権利管理割り振りシステムの例示的な図である。
【００１４】
【図２】図２は本開示に従うデジタル権利管理システムの例示的なブロック図である。
【００１５】
【図３】図３はデジタル権利管理システムによって用いることができる例示的なステップを示すフローチャートである。
【００１６】
【図４】図４はデジタル権利管理システムの代替的な実施形態の例示的なブロック図である。
【発明を実施するための形態】
【００１７】
図１を参照すると、デジタル権利管理割り振りシステム１００の例示的な図が示されている。デジタル権利管理割り振りシステム１００はデバイス１０２、例えば携帯型モバイルメディアデバイス、携帯電話、及び／又は他の適切なモバイルデバイスを含む。デジタル権利管理割り振りシステム１００はまた、当該分野で知られているような権利発行者１０４及び当該分野で知られているようなコンテンツ発行者１０６を含む。この例では別個に描かれているが、権利発行者１０４及びコンテンツ発行者１０６は必要に応じて組み合わされて単一の権利／コンテンツ発行者としてもよい。権利発行者１０４及びコンテンツ発行者１０６はネットワーク１０８を介してデバイス１０２と通信する。ネットワーク１０８は任意の公知のネットワーク、例えばワイヤレスセルラーネットワーク、ワイヤレスＬＡＮ、パケットスイッチネットワーク、ＰＳＴＮネットワーク、及び／又は任意の他の適切なネットワークであってよい。
【００１８】
デバイス１０２はデジタル権利管理（ＤＲＭ）システム１１０を含む。ＤＲＭシステム１１０は保護されたコンテンツ（例えばゲーム、着信音、写真、音楽クリップ、ビデオクリップ、ストリーミングメディア、及び他の適切な保護されたコンテンツ）に対する認証情報（例えば権利オブジェクト又は他の適切な認証情報）を取得してその保護されたコンテンツをその認証情報に基いて復号化する。例えばＤＲＭシステム１１０は、保護されたコンテンツ１１２をコンテンツ発行者１０６から要求して、保護されたコンテンツ１１２に対する認証情報１１４を権利発行者１０４から要求することができる。ＤＲＭシステム１１０は次いでその後、保護されたコンテンツ１１２を認証情報１１４に基いて復号化することができる。ＤＲＭシステム１１０は必要に応じて選択的にＤＲＭシステム１１０の部分部分の電力を増やしそして電力を減らすことにより、デバイス１０２の電力消費を低減する。
【００１９】
図２を参照すると、ＤＲＭシステム１１０の例示的な図が示されている。ＤＲＭシステム１１０はホスト処理回路２００及びメディア処理回路２０２を含む。ホスト処理回路２００は通信モジュール２０４、電力管理モジュール２０６及び認証モジュール２０８を含む。電力管理モジュール２０６は通信モジュール２０４及び認証モジュール２０８に動作的に接続される。認証モジュール２０８は通信モジュール２０４に動作的に接続される。
【００２０】
以下に更に詳細に論じられるように、電力管理モジュール２０６は電力消費を低減するために選択的に認証モジュール２０８及び／又は通信モジュール２０４の電力を増やしたり電力を減らしたりする。幾つかの実施形態では、電力管理モジュール２０６は必要に応じて電力消費を更に低減するために、選択的にホスト処理モジュール２００の他の回路２０９の電力を増やしたり電力を減らしたりすることができる。また幾つかの実施形態では、電力管理モジュール２０６はホスト処理モジュール２００の外部にあってよく、電力消費を更に低減するために選択的にホスト処理モジュール２００の電力を増やしたり電力を減らしたりすることができる。
【００２１】
通信モジュール２０４は、認証情報１１４及び／又は保護されたコンテンツ１１２を検索する(retrieve)ためにネットワーク１０８を介して権利発行者１０４及びコンテンツ発行者１０６と通信する。例えば通信モジュール２０４は、パス２１０を介しての認証モジュール２０８からの認証要求に応答して認証情報１１４に対する要求を送信することができる。通信モジュール２０４は次いでその後、要求に応答して認証情報１１４を受信することができる。通信モジュール２０４は、デジタル権利管理認証情報及び／又は保護されたコンテンツを検索するための当該分野で一般的に知られた回路を含む。この例ではデバイス１０２はワイヤレス携帯型デバイスであり、従ってアンテナ２１２を用いてワイヤレスでネットワーク１０８と通信する。
【００２２】
メディア処理回路２０２はメディアモジュール２１４及び復号化モジュール２１６を含む。メディアモジュール２１４は保護されたコンテンツ１１２に基いてメディア出力情報２１８（例えばオーディオ及び／又はビデオ出力）を提供する。従ってメディアモジュール２１４は、デジタルメディアコンテンツに基くメディア出力情報を提供可能な当該分野で公知の任意の適切なメディアプレイヤであってよい。幾つかの実施形態では、ＤＲＭシステム１１０はまた、メディア出力情報２１８に基いて画像を提供するディスプレイ２２０及び／又はメディア出力情報２１８に基いてオーディオを提供するスピーカ２２２を含むことができる。
【００２３】
認証モジュール２０８及び復号化モジュール２１６はＤＲＭエージェント２２４として集合的に動作し、パス２２５（例えばＩＰＣパス）を介して通信する。従って、ＤＲＭエージェント２２４はホスト処理回路２００及びメディア処理回路２０２の間で割り振られている（例えば分割されている）。ＤＲＭエージェント２２４をホスト処理回路２００及びメディア処理回路２０２の間で分割することで、選択的にホスト処理回路２００又はその一部の電力を増減することによって電力消費の低減を実現することができる。
【００２４】
加えてＤＲＭエージェント２２４はまた、権利管理モジュール２２７を含む。権利管理モジュール２２７は保護されたコンテンツ１１２に付随する承認（例えば権利オブジェクトから取得される）を管理するように動作する。権利管理モジュール２２７はホスト処理回路２００又はメディア処理回路２０２のいずれかに含まれていてよい。例えば、保護されたコンテンツがアクセスされた回数（例えばその保護されたコンテンツが再生された回数）に基いてその保護されたコンテンツへのアクセスを制限する承認である場合には、権利管理モジュール２２７はメディア処理回路２０２内に含まれていてよい。しかし、保護されたコンテンツへのアクセスを時間に基いて制限する承認である場合には、権利管理モジュール２２７はホスト処理回路２００内に位置させることができる（例えばホスト処理回路はリアルタイムクロックを含むがメディア処理回路２０２は含まないことを想定）。この例では、権利管理モジュール２２７はメディア処理回路２０２内に含まれている。しかし、上述したように、権利管理モジュール２２７は必要に応じてホスト処理回路２００内に含まれていてよい。
【００２５】
ＤＲＭシステム１１０はまた、認証情報１１４及び保護されたコンテンツ１１２を記憶するメモリ２２６を含む。メモリ２２６は任意の適切な記憶媒体、例えば揮発性メモリ、不揮発性メモリ、又は他の適切な記憶媒体であってよい。図示はしないが、当業者であればメモリ２２６は権利オブジェクトに付随する他の承認をも記憶可能であることを理解するであろう。
【００２６】
動作中、認証モジュール２０８はネットワーク１０８を介して権利発行者１０４から保護されたコンテンツ１１２に対する認証情報１１４を検索する。また、認証モジュール２０８は保護されたコンテンツ１１２を検索することができる。認証モジュール２０８は電力を減らすのに先立ち認証情報１１４（及び／又は保護されたコンテンツ１１２）をメモリ２２６に記憶する。より具体的には、電力管理モジュール２０６は認証モジュール２０８が使用中（例えば認証情報を取得中）であるかどうかを決定し、それに基いて選択的にホスト処理回路２００の電力を減らす。例えば、電力管理モジュール２０６は、認証モジュール２０８が認証情報１１４（及び／又は保護されたコンテンツ１１２）を検索し且つ記憶した後に認証モジュール２０８の電力を減らすことができる。また、電力管理モジュール２０６は通信モジュール２０４が使用されていない場合にその電力を減らすこともできる。
【００２７】
復号化モジュール２１６はメモリ２２６から認証情報１１４（及び／又は保護されたコンテンツ１１２）を検索する。一旦検索されたら、復号化モジュール２１６は保護されたコンテンツ１１２を認証情報１１４に基いて復号化し、暗号化されていないコンテンツ２２８をメディアモジュール２１４に供給する。認証情報１１４は既に認証モジュール２０８によって取得されているので、復号化モジュール２１６は保護されたコンテンツ１１２を独立して復号化することができる一方で認証モジュール２０８の電力が減らされる。このようにＤＲＭシステム１１０の電力消費が低減される。
【００２８】
メディアモジュール２１４は暗号化されていないコンテンツ２２８を受け取り、それに基くメディア出力情報２１８を提供する。前述したように、メディアモジュール２１４はメディア出力情報２１８を必要に応じてディスプレイ２２０及び／又はスピーカ２２２に供給することができる。
【００２９】
幾つかの実施形態では、復号化モジュール２１６は、選択的に認証モジュール２０８の電力を増やしそして電力を減らすために、パス２３０を介して電力管理モジュール２０６と通信することができる。例えば、復号化モジュール２１６は、復号化モジュール２１６が保護されたコンテンツ１１２を復号化しているときに、電力管理モジュール２０６が認証モジュール２０８の電力を減らすことを要求することができる。また、復号化モジュール２１６は、保護されたコンテンツに対して認証情報が要求されているときに、電力管理モジュールが認証モジュール２０８の電力を増やすことを要求することができる。更に、復号化モジュール２１６は、認証モジュール２０８（又はホスト処理回路２００）からタイミング情報を得るために、電力管理モジュール２０６が認証モジュール２０８の電力を増やすことを要求することができる。他の実施形態では、選択的に認証モジュール２０８及び／又はホスト処理回路２００（若しくはその部分）の電力を増やしそして電力を減らすために、電力管理モジュール２０６は、認証モジュール２０８、ホスト処理回路２００（若しくはその部分）及び／又は復号化モジュール２１６を監視することができる。
【００３０】
図３を参照すると、ＤＲＭシステム１１０によって用いることができる例示的なステップが全般的には３００で示されている。処理はステップ３０２で開始される。ステップ３０４では、認証モジュール２０８が保護されたコンテンツ１１２に対して認証情報１１４を検索する。幾つかの実施形態では、認証モジュール２０８は復号化モジュール２１６からの要求に応答して認証情報１１４を検索することができる。ステップ３０６では、認証情報１１４が検索された後に電力管理モジュール２０６が認証モジュール２０８の電力を減らす。ステップ３０８では、復号化モジュール２１６が保護されたコンテンツ１１２を認証情報１１４に基いて復号化する一方で、認証モジュール２０８の電力が減らされる。従って、復号化モジュール２１６が保護されたコンテンツ１１２を復号化している一方で、認証モジュール２０８の電力を減らすことによってＤＲＭシステム１１０の電力消費を低減することができる。処理はステップ３１０で終了する。
【００３１】
図４を参照すると、ＤＲＭシステム１１０の代替的な実施形態の例示的なブロック図が示されている。この例では、ホスト処理回路２００及びメディア処理回路２０２の両方がそれぞれ完全なＤＲＡＭエージェント４００及び４０２を含む。ＤＲＡＭエージェント４００，４０２は、それぞれ認証モジュール４０４，４０６と、それぞれ復号化モジュール４０８，４１０と、それぞれ権利管理モジュール４１２，４１４とを含む。しかし、ＤＲＡＭエージェント４００の復号化モジュール４０８とＤＲＡＭエージェント４０２の認証モジュール４０６は冗長であるから、電力管理モジュール２０６は電力消費を低減するために動作中にそれらの電力を減らすことができる。また、電力管理モジュール２０６は、電力消費を低減するために、権利管理モジュール４１２又は４１４の一つの電力をも減らすことができる。従って、ＤＲＭシステム１１０の電力消費を更に低減するために、認証モジュール４０４は図２の認証モジュール２０８のように動作することができ、復号化モジュール４１０は図２の復号化モジュール２１６のように動作することができ、権利管理モジュール４１２又は４１４の一つは図２の権利管理モジュール２２７のように動作することができる。
【００３２】
上述したように、数ある利益のなかでもとりわけ、公知のデジタル権利管理システムよりも消費電力の小さいデジタル権利管理システム及び方法が提供される。デジタル権利管理システムは、ホスト処理回路（又はその部分）が認証情報を得た後に電力を減らされることができるように、ホスト処理回路とメディア処理回路の間でデジタル権利管理を割り振る。従って、ホスト処理回路（又はその部分）の電力を減らすことによって、デジタル権利管理システムの電力消費が公知のデジタル権利管理システムに比べて小さくなる。他の利益は当業者によって認識されるであろう。
【００３３】
また、限定はされないがＣＤＲＯＭ、ＲＡＭ、他の形態のＲＯＭ、ハードドライブ、分散型メモリ等のコンピュータ可読メモリに記憶された実行可能な情報に基いて集積回路を造る集積回路設計システム（例えばワークステーション）が知られている。その情報は、任意の適切な言語、限定はされないが例えばハードウエア記述言語あるいは他の適切な言語を提示するデータ（例えばコンパイルされ又は他の方法で提示される）を含んでいてよい。従って、ここに説明される回路及び／又はモジュールはまた、そのようなシステムによって集積回路として製造されてもよい。例えば、コンピュータ可読媒体に記憶され、実行されたときに認証モジュール及び復号化モジュールを含む集積回路を造ることを集積回路設計システムにさせる情報を用いて、集積回路がディスプレイにおける使用のために造られてよい。認証モジュールは保護されたコンテンツに対する認証情報を検索するように動作する。認証モジュールは、認証情報が検索された後に電力を減らすように動作する。復号化モジュールは保護されたコンテンツを認証情報に基いて復号化するように動作する一方で、認証モジュールは電力を減らされる。ここに説明される他の動作を実行する回路及び／又はモジュールを有する集積回路もまた適切に製造されてよい。
【００３４】
この開示は特定の例を含むが、開示はそのように限定されないことが理解されるべきである。図面、明細書、及び以下の特許請求の範囲を精査することで、本開示の精神及び範囲を逸脱することなしに、多くの修正、変更、変形、置換、及び均等なものを当業者は想起するであろう。
【図１】
0005773867.tif 000002
【図２】
0005773867.tif 000003
【図３】
0005773867.tif 000004
【図４】
0005773867.tif 000005